(57)【要約】【課題】空調機の強風時における能力低下と雨水浸入による運転障害を防止する。【解決手段】ケーシング１内に、圧縮式のヒートポンプＣと、ヒートポンプＣの蒸発器２を設けた給気送風路Ａと、排気ファン５を隔ててヒートポンプＣの凝縮器３をすくなくとも一対設けた外気送風路Ｂと、を備える。複数の凝縮器３…の間にヒートポンプＣの構成部品を配置し、これらの構成部品のうちですくなくとも圧縮機４と要防水部品を被いかつ排気ファン５へ頂が向かう山形のカバー７を、設ける。【選択図】図１
2006002985.tif 000002
【特許請求の範囲】
【請求項１】
ケーシング１内に、圧縮式のヒートポンプＣと、排気ファン５を隔てて前記ヒートポンプＣの凝縮器３をすくなくとも一対設けた外気送風路Ｂと、を備え、複数の前記凝縮器３…の間に前記ヒートポンプＣの構成部品を配置し、これらの構成部品のうちで圧縮機４と要防水部品をすくなくとも被いかつ前記排気ファン５へ頂が向かう山形のカバー７を、設けたことを特徴とする空気熱源ヒートポンプ式空調機。
【請求項２】
凝縮器３に対応してケーシング１に開口する外気送風路入口９の外側に、防風断熱板８を設けた請求項１記載の空気熱源ヒートポンプ式空調機。
【請求項３】
蒸発器２と凝縮器３のフィンチューブを楕円管にした請求項１又は２記載の空気熱源ヒートポンプ式空調機。
【発明の詳細な説明】
【技術分野】
【０００１】
本発明は空気熱源ヒートポンプ式空調機に関するものである。
【背景技術】
【０００２】
空気熱源ヒートポンプ式空調機において、いわゆる室外機に該当する部分は、羽根回転軸の方向へ送風する軸流式の排気ファンを隔てて凝縮器を対向状に設け、外気を凝縮器に通風して冷媒と熱交換し、屋外に排気する構造となっている。
【０００３】
【特許文献１】実開平２−９６５３４号公報
【発明の開示】
【発明が解決しようとする課題】
【０００４】
ところが、外気を取り込む開口部は屋外に剥き出しのままなので、天候が悪く強風の場合には、一方の凝縮器で熱交換した空気が排気ファンから排出されずに他方の凝縮器へ流れて屋外に出てしまい能力が落ちる問題がある。また、排気ファンの隙間を通じて雨水などが入り込むため、ヒートポンプの構成部品によっては（たとえば電子部品など）雨水に濡れてトラブルが起こり、空調運転に支障がでる問題もある。
【課題を解決するための手段】
【０００５】
本発明は、上記課題を解決するため、ケーシング内に、圧縮式のヒートポンプと、排気ファンを隔てて前記ヒートポンプの凝縮器をすくなくとも一対設けた外気送風路と、を備え、複数の前記凝縮器の間に前記ヒートポンプの構成部品を配置し、これらの構成部品のうちで圧縮機と要防水部品をすくなくとも被いかつ前記排気ファンへ頂が向かう山形のカバーを、設けたことを最も主要な特徴とする。
【発明の効果】
【０００６】
請求項１の発明によれば、一つのカバーを、ヒートポンプ部品の防水と、圧縮機の遮音と、凝縮器の一方から他方への熱交換済空気の流れ込み防止と、に兼用でき、部品点数の削減を図れて、静粛で安定した空調運転を行える。カバーは山形になっているので、排気ファンに向かってスムーズに小抵抗で空気を誘導案内でき、確実な排気を行える。
請求項２の発明によれば、防風断熱板にて、ケーシング内への風の直吹込み防止と、日射による凝縮器能力低下の防止と、雨水の吹き込みによる腐食防止と、ができるうえ、カバーとあいまって強風による悪影響を一層確実に防止し得る。
請求項３の発明では、蒸発器と凝縮器の圧力損失が減少して熱交換効率が向上するので小型のファンを用いることができ騒音低減を図れる。圧損減少分伝熱管列数を増やせるので蒸発器と凝縮器も小型化でき空調機をコンパクト化できる。
【実施例】
【０００７】
図１と図２は、本発明の空気熱源ヒートポンプ式空調機の一実施例を示しており、実線及び点線の白抜き矢印は送風方向を示す。この空調機は、ケーシング１内に、圧縮式のヒートポンプＣと、ヒートポンプＣの冷媒蒸発・冷媒凝縮切換え自在な冷媒−空気熱交換用の蒸発器２と空調用空気を被空調空間へ給気する給気ファン６とを設けた給気送風路Ａと、排気ファン５を隔ててヒートポンプＣの冷媒−空気熱交換用の凝縮器３をすくなくとも一対対向状に設けた外気送風路Ｂと、を備えている。羽根回転軸の方向へ送風する軸流式の排気ファン５は、複数の凝縮器３…に挟まれた空間の外端近傍乃至外側に配置すると共に複数の凝縮器３…の間にはヒートポンプＣの構成部品を配置し、これらの構成部品のうちで圧縮機４と要防水部品（たとえば漏電の虞がある電子部品やコネクタなど）をすくなくとも被いかつ排気ファン５へ頂が向かう山形のカバー７を、設ける。カバー７は、凝縮器３に対応してケーシング１に開口する外気送風路入口９に対して２／３以上重なるように形成して、凝縮器３で熱交換された空気の遮風と整流効果を高めるのが好ましい。
【０００８】
この各外気送風路入口９の外側には、防風断熱板８を各々設ける。防風断熱板８は、例えば、排気ファン５に近い外気送風路入口一端縁と防風断熱板一端縁の間隙部面積D1と排気ファン５から遠い外気送風路入口他端縁と防風断熱板他端縁の間隙部面積D2との比率（D1：D2）を変更調整自在として、設ける。これにより凝縮器３の通過風量分布の偏りに応じて、外気取入れ部分の間隙部面積の比率（D1：D2）を変更調整することにより、凝縮器通過風量分布を均等化でき能力向上を図れる。このときの防風断熱板８は各種取付具を介してケーシング１に外気送風路入口９との相対位置変更自在に取付けたり、排気ファン５に近い側と遠い側が外気送風路入口９と接近・離間するように回動自在に取付けて、外気取入れ部分の間隙部面積の比率（D1：D2）を変更調整自在に構成する。図示省略するが、凝縮器３への蒸発潜熱利用散水器を防風断熱板８の内側に設けてもよく、この場合には防風断熱板８で散水時の水の飛散も防止できる。
【０００９】
ヒートポンプＣは、熱交換用空気で循環冷媒の熱交換をする凝縮器３と、循環冷媒で空調用空気の熱交換をする蒸発器２と、圧縮機４、膨張弁と、冷媒循環方向の正逆の切換弁（四方弁）と、受液器等（以上図示せず）と、を備え、これらを配管接続して冷媒循環回路を構成しかつ切換弁により凝縮器３と蒸発器２の吸熱と放熱（蒸発機能と凝縮機能）を切換自在に構成する。
【００１０】
給気送風路Ａの空調用空気入口と空調用空気出口はケーシング１に設け、空調用空気入口は還気取入用や外気取入用あるいは還気と外気の混合空気取入用として室内などの被空調空間や屋外と連通させ、空調用空気出口は給気用として室内などの被空調空間に連通させる。ヒートポンプＣの凝縮器３に排気ファン５で送風すると共に、給気ファン６で送風することによりヒートポンプＣの蒸発器２にて空調用空気を熱交換（冷却・加熱）して被空調空間に給気し空調運転を行う。蒸発器２と凝縮器３のフィンチューブは圧損の少ない楕円管にするのが好ましいが円形管でもよい。
【００１１】
なお、本発明は前記実施例に限定されず、本発明の要旨を逸脱しない範囲で設計変更自由で、たとえば排気ファン５や凝縮器３の配置や数の増減は自由で、防風断熱板８を構造変更したり省略するも自由である。
【図面の簡単な説明】
【００１２】
【図１】空気熱源ヒートポンプ式空調機の実施例を示す正面断面図。
【図２】同平面図。
【図３】同側面図。
【符号の説明】
【００１３】
１      ケーシング
２      蒸発器
３      凝縮器
４      圧縮機
５      排気ファン
７      カバー
８      防風断熱板
９      外気送風路入口
Ｂ      外気送風路
Ｃ      ヒートポンプ
【図１】
2006002985.tif 000003
【図２】
2006002985.tif 000004
【図３】
2006002985.tif 000005